(57)【要約】      （修正有）【課題】冷房時の上下風向制御板の結露を防止できるようにする。【解決手段】吸込口３と吹出口７を有する筐体１の、吸込口３と吹出口７を結ぶ風路に、熱交換器４，５，６と送風機８を配置し、吹出口７には、この吹出口７から外部に送り出される風向を上下方向で制御する上下風向制御板１２を設ける。また、送風機８と上下風向制御板１２との間の風路に、この風路を流れる風の一部を、風向が横吹きとなるように制御されている時の上下風向制御板１２の下方に向かわせる風向ガイド１４を設ける。【選択図】図１
2012211746.tif 000002
【特許請求の範囲】
【請求項１】
吸込口と吹出口を有する筐体の、前記吸込口と前記吹出口を結ぶ風路に、熱交換器と送風機を配置し、前記吹出口には、該吹出口から外部に送り出される風向を上下方向で制御する上下風向制御板を備えた空気調和機において、
前記送風機と前記上下風向制御板との間の風路に設けられ、該風路を流れる風の一部を、風向が横吹きとなるように制御されている時の前記上下風向制御板の下方に向かわせる風向ガイドを備えたことを特徴とする空気調和機。
【請求項２】
前記風路の前記送風機と前記吹出口との間の背面壁は、空気流れ方向に沿って後方に凸の湾曲面に形成されており、
前記風向ガイドは、前記風路の背面壁の湾曲面に沿った反り形状を有し、かつその反り線の前方側延長線が、前記風向が横吹きとなるように制御されている時の前記上下風向制御板の下方に位置するように、設置時の傾きが調整されていることを特徴とする請求項１記載の空気調和機。
【請求項３】
前記風向ガイドは、前記風路の前記背面壁上にその前端から空気流れの上流側に延出させて形成されていることを特徴とする請求項２記載の空気調和機。
【請求項４】
前記風向ガイドを、前記風路の前記背面壁の湾曲面と平行に設けたことを特徴とする請求項２又は請求項３記載の空気調和機。
【請求項５】
前記風向ガイドと前記背面壁との間の空間の開口面積は、空気流れの入口側の開口面積が出口側の開口面積より広くなるように設定されていることを特徴とする請求項２又は請求項３記載の空気調和機。
【請求項６】
前記吹出口から外部に送り出される風向を左右方向で制御する左右風向制御板をさらに有し、該左右風向制御板の下方に前記風向ガイドを配置したことを特徴とする請求項１乃至請求項５のいずれかに記載の空気調和機。
【請求項７】
前記風路の背面壁は前後に分離可能に形成されており、その前側の背面壁と、前記上下風向制御板、前記左右風向制御板、及び前記風向ガイドが、一体の組立体として構成されていることを特徴とする請求項６記載の空気調和機。
【発明の詳細な説明】
【技術分野】
【０００１】
本発明は、上下風向制御板への結露を防止できる空気調和機に関する。
【背景技術】
【０００２】
従来より、吹出口に設けた上下風向制御板の後方に風向ガイドを備えた空気調和機が知られている。この風向ガイドは、空気流れ方向で見ると２枚の上下風向制御板の間に配置され、除湿運転時にクロスフローファンから吐出される冷却空気層と加熱空気層を上下に分離して混合させない機能を有している。これにより、除湿運転時に、人肌に冷風感のない除湿空気を得られるようにしている。なお、２枚の上下風向制御板は、冷房運転時に横吹き姿勢に制御されるものである（例えば、特許文献１参照）。
【先行技術文献】
【特許文献】
【０００３】
【特許文献１】特開平７−１３９７９７号公報（図１、図５）
【発明の概要】
【発明が解決しようとする課題】
【０００４】
しかしながら、風向ガイドが、空気流れ方向で見て２枚の上下風向制御板の間に配置されているものにあっては、クロスフローファンから吹出口に至る間の風路背面側の流れが弱い。このため、冷房時に、吹出口の下方からの湿った空気（室内空気）の流れが上下風向制御板に届き易く、上下風向制御板の下面にまで達してしまい、結露し易いという難点があった。
【０００５】
本発明の技術的課題は、上下風向制御板の結露を防止できるようにすることにある。
【課題を解決するための手段】
【０００６】
本発明に係る空気調和機は、下記の構成からなるものである。すなわち、吸込口と吹出口を有する筐体の、吸込口と吹出口を結ぶ風路に、熱交換器と送風機を配置し、前記吹出口には、この吹出口から外部に送り出される風向を上下方向で制御する上下風向制御板を備えた空気調和機において、送風機と上下風向制御板との間の風路に設けられ、この風路を流れる風の一部を、風向が横吹きとなるように制御されている時の上下風向制御板の下方に向かわせる風向ガイドを設けたものである。
【発明の効果】
【０００７】
本発明に係る空気調和機においては、送風機と上下風向制御板との間の風路に設けられ、この風路を流れる風の一部を、風向が横吹きとなるように制御されている時の上下風向制御板の下方に向かわせる風向ガイドを設けたので、風路を流れる風の一部を、風向が横吹きとなるように制御されている時の上下風向制御板の下方に向かって流すことができ、この上下風向制御板の下方に向かう空気流により、筺体の吹出口下方から上下風向制御板に向かってくる室内の湿った空気を遮断して、湿った空気が上下風向制御板に到達するのを防ぐことができる。このため、冷房時に上下風向制御板に結露するようなことはなくなり、信頼性を向上させることができる。
【図面の簡単な説明】
【０００８】
【図１】本発明の実施形態１に係る空気調和機の全体構成を概略的に示す側面視の断面図である。
【図２】本発明の実施形態１に係る空気調和機における空気流れを示す側面視の断面図である。
【図３】本発明の実施形態２に係る空気調和機の全体構成を概略的に示す側面視の断面図である。
【図４】本発明の実施形態３に係る空気調和機の全体構成を概略的に示す側面視の断面図である。
【図５】本発明の実施形態４に係る空気調和機の風向ガイド部の組立体を取り外した状態を示す（ａ）は分解図、及び（ｂ）は分解斜視図である。
【図６】風向ガイドがない比較例の空気調和機の空気流れを示す側面視の断面図である。
【発明を実施するための形態】
【０００９】
実施形態１．
図１は本発明の実施形態１に係る空気調和機の全体構成を概略的に示す側面視の断面図である。本発明の実施形態１に係る空気調和機は、図１のように室内ユニットの筺体１に、前面パネル２と、室内空気を取り入れる吸込口３と、吸込口３から取り入れられた室内空気を冷却または加熱する熱交換器４，５，６と、熱交換器４，５，６で熱交換された空気を室内に戻す吹出口７と、吸込口３から空気を取り入れるとともに吹出口７から室内に熱交換された空気を吹き出させるための送風機、例えばクロスフローファン８とが備えられている。
【００１０】
クロスフローファン８から吹出口７に至る風路９は、スタビガイド１０と、空気流れ方向に沿って後方に凸の湾曲面に形成された背面壁すなわちリアガイド１１とで構成されている。風路９の吹出口７には、当該吹出口７から外部に送り出される風向を上下方向で制御する上下風向制御板１２が設置されている。また、風路９の上下風向制御板１２よりも空気流れの上流側には、吹出口７から外部に送り出される風向を左右方向で制御する左右風向制御板１３が配置され、その下方に風向ガイド１４が配置されている。なお、上下風向制御板１２は、例えば冷房運転時には横吹き姿勢（水平向き）にて制御されるようになっている。
【００１１】
風向ガイド１４は、リアガイド１１の湾曲面に沿った反り形状を有し、かつその反り線の前方側延長線（図１中に一点鎖線で示す）１６が、風向が横吹きとなるように制御されている時の上下風向制御板１２の下方に位置するように、設置時の傾きが調整され、リアガイド１１上に、リアガイド前端１５から空気流れの上流側へ延出させて形成されている。これにより、風向ガイド１４とリアガイド１１の間の空間を流れる空気の吹出口部を、より上下風向制御板１２に近付けることができ、リアガイド前端１５からの吹出流れ１９を、容易に上下風向制御板１２の下面まで届かせることができる。
【００１２】
次に、本発明の実施形態１に係る空気調和機の動作について図２に基づき、図６に示す比較例のものと比較しながら説明する。図２は本発明の実施形態１における空気流れを示す側面視の断面図である。図６は風向ガイドがない比較例の空気流れを示す側面視の断面図である。まず、室内空気は、吸込口３から吸い込まれ、熱交換器４，５，６、クロスフローファン８を経て吹出口７へと流れ、吹出口７から外部に送り出される。この時、吹出流れによる吸い込み効果により、筺体１の下方から吹出口７に向かう室内の湿った空気流れ１７が発生する。
【００１３】
風向ガイドがない図６の比較例の場合、リアガイド１１付近の空気流れ１８が弱くなると、この空気流れ１８は、リアガイド前端１５まで流れなくなり、リアガイド１１から剥離してしまう。このため、筺体１の下方から吹出口７に向かう室内の湿った空気流れ１７が上下風向制御板１２まで到達してしまう。
【００１４】
これに対し、本発明の実施形態１に係る空気調和機においては、風向ガイド１４とリアガイド１１の間の空間を流れる空気の流れは、風向ガイド１４による整流作用により直進性が向上し、リアガイド前端１５からの吹出流れ１９が、上下風向制御板１２の下面まで届き、上下風向制御板１２の下側に空気流の膜を作る。このため、筺体１下方から吹出口７に向かう室内の湿った空気流れ１７が上下風向制御板１２まで到達することを防ぐことができ、冷房時の上下風向制御板１２の結露を防止することができる。その結果、長時間使用において空気調和機からの結露液の滴下をなくすことができる。
【００１５】
また、風向ガイドがない図６の比較例の場合、左右吹き時にリアガイド前端１５からの吹出流れは左右へ偏流してしまい、この偏流によって吹出口７の筺体下方から室内の湿った空気流れ１７を巻き込み、この空気流れ１７が上下風向制御板１２まで到達してしまうことがある。
【００１６】
これに対し、本発明の実施形態１に係る空気調和機においては、図１及び図２のように左右風向制御板１３の下方に風向ガイド１４を配置しているので、左右吹き時でもリアガイド前端１５からの吹出流れ１９は、左右風向流れの影響を受けず、正面吹きとなる。このため、筺体１下方から吹出口７に向かう室内の湿った空気流れ１７が上下風向制御板１２に到達し難くなり、冷房時の上下風向制御板１２の結露を防止することができる。その結果、長時間使用において空気調和機からの結露液の滴下をなくすことができる。
【００１７】
実施形態２．
図３は本発明の実施形態２に係る空気調和機の全体構成を概略的に示す側面視の断面図であり、前述の実施形態１と同じ機能部分にはこれと同じ符号を付して、一部の説明を省略する。本発明の実施形態２に係る空気調和機は、図３のように風向ガイド１４Ａを、風路９の背面壁であるリアガイド１１の湾曲面と平行に、かつその反り線の前方側延長線（図３中に一点鎖線で示す）１６が、風向が横吹きとなるように制御されている時の上下風向制御板１２の下方に位置するように、設置時の傾きを調整し、リアガイド１１上に、リアガイド前端１５から空気流れの上流側へ延出させて設けたものである。
【００１８】
このように、本発明の実施形態２に係る空気調和機においては、風向ガイド１４Ａをリアガイド１１の湾曲面と平行に設けたので、当該風向ガイド１４Ａとリアガイド１１の間の空間を流れる空気の整流効果が向上し、風量低下防止および騒音防止効果を期待できる。
【００１９】
実施形態３．
図４は本発明の実施形態３に係る空気調和機の全体構成を概略的に示す側面視の断面図であり、前述の実施形態１と同じ機能部分にはこれと同じ符号を付して、一部の説明を省略する。本発明の実施形態３に係る空気調和機は、図４のように風向ガイド１４Ｂと風路９の背面壁であるリアガイド１１との間の空間の開口面積（風路断面積）を、空気流れの入口側２０の開口面積が空気流れの出口側２１の開口面積より広くなるように設定して、当該風向ガイド１４Ｂとリアガイド１１とでノズルを構成したものである。また、風向ガイド１４Ｂの反り線の前方側延長線（図４中に一点鎖線で示す）１６が、風向が横吹きとなるように制御されている時の上下風向制御板１２の下方に位置するように、設置時の傾きを調整し、リアガイド１１上に、リアガイド前端１５から空気流れの上流側へ延出させて設けたものである。
【００２０】
このように、本発明の実施形態３に係る空気調和機においては、風向ガイド１４Ｂとリアガイド１１とでノズルを構成しているので、リアガイド前端１５からの吹出流れ１９を高速化でき、上下風向制御板１２の下面まで容易に届かせることができる。このため、筺体１下方から吹出口７に向かう室内の湿った空気流れ１７が上下風向制御板１２まで到達することをより確実に防ぐことができ、冷房時の上下風向制御板１２の結露を防止することができる。その結果、長時間使用において空気調和機からの結露液の滴下をなくすことができる。
【００２１】
実施形態４．
図５（ａ）（ｂ）は本発明の実施形態４に係る空気調和機の風向ガイド部の組立体を取り外した状態を示すもので、（ａ）は分解図、及び（ｂ）は分解斜視図である。なお、図中、前述の実施形態１と同じ機能部分にはこれと同じ符号を付して、一部の説明を省略する。本発明の実施形態４に係る空気調和機は、図５（ａ）（ｂ）に示すように、リアガイド１１が、前後に分離可能に構成されており、その前側のリアガイド１１と、上下風向制御板１２、左右風向制御板１３、及び風向ガイド１４が、一体の組立体３０として構成されている。
【００２２】
このように、本発明の実施形態４に係る空気調和機においては、リアガイド１１を、前後に分離可能に構成し、その前側のリアガイド１１と、上下風向制御板１２、左右風向制御板１３、及び風向ガイド１４を、一体の組立体３０として構成しているので、組立性が向上し、組立作業の効率化が図れる。
【符号の説明】
【００２３】
１  筺体、２  前面パネル、３  吸込口、４，５，６  熱交換器、７  吹出口、８  クロスフローファン（送風機）、９  風路、１０  スタビガイド、１１  リアガイド（風路の背面壁）、１２ 上下風向制御板、１３ 左右風向制御板、１４，１４Ａ，１４Ｂ  風向ガイド、１５  リアガイド前端、１６  反り線の前方側延長線、１７，１８  空気流れ、１９  吹出流れ、２０  空気流れの入口側、２１  空気流れの出口側、３０  組立体。
【図１】
2012211746.tif 000003
【図２】
2012211746.tif 000004
【図３】
2012211746.tif 000005
【図４】
2012211746.tif 000006
【図５】
2012211746.tif 000007
【図６】
2012211746.tif 000008